(57)【特許請求の範囲】
【請求項１】
二つのケース部材が組み合わされた状態で所定の基板を収容可能な基板ケースを備える遊技機であって、
前記基板ケースは、
二つのケース部材が組み合わされた状態において凹凸嵌合する凹凸部と、
前記凹凸部に形成される壁面であって二つのケース部材を離間させる方向に沿って延設されるとともに組み合わされた状態においてそれぞれ対向する二組の壁面を少なくとも有し、前記対向する壁面の間に介在する所定の接着剤により前記対向する壁面同士が接着される接着部と、
前記基板の外周縁を囲むとともに前記基板を外部と遮断可能に設けられる外側壁部と、
前記外側壁部と前記基板の外周縁との間に設けられる内側壁部と、を有し、
前記内側壁部は、前記凹凸部のうちの凸部を形成し、
二つのケース部材が組み合わされた状態において、前記外側壁部と前記内側壁部との間に所定の空間が形成され、
前記基板が所定データの記録された記憶手段を有し、前記基板ケースに前記接着部を有しない領域として非接着領域を設ける場合において、
前記記憶手段は、前記基板上において、前記非接着領域の付近に配置されることなく、前記接着部を有する領域に配置される
ことを特徴とする遊技機。
【請求項２】
二つのケース部材が組み合わされた状態で所定データの記録された記憶手段を有する基板を収容可能な基板ケースを備える遊技機であって、
前記基板ケースは、
少なくとも前記記憶手段の近傍に、開放時に痕跡が残るように二つのケース部材を固定する固定手段と、
二つのケース部材が組み合わされた状態において凹凸嵌合する凹凸部と、
前記凹凸部に形成される壁面であって二つのケース部材を離間させる方向に沿って延設されるとともに組み合わされた状態においてそれぞれ対向する二組の壁面を少なくとも有し、前記対向する壁面の間に介在する所定の接着剤により前記対向する壁面同士が接着される接着部と、
前記基板の外周縁を囲むとともに前記基板を外部と遮断可能に設けられる外側壁部と、
前記外側壁部と前記基板の外周縁との間に設けられる内側壁部と、を有し、
前記内側壁部は、前記凹凸部のうちの凸部を形成し、
二つのケース部材が組み合わされた状態において、前記外側壁部と前記内側壁部との間に所定の空間が形成される
ことを特徴とする遊技機。
【請求項３】
二つのケース部材が組み合わされた状態で所定の基板を収容可能な基板ケースを備える遊技機であって、
前記基板ケースは、
二つのケース部材を離間させる方向に沿って延設されるとともに組み合わされた状態において対向する壁面を有し、前記対向する壁面の間に介在する所定の接着剤により、前記対向する壁面同士が接着される接着部と、
前記基板の外周縁を囲むとともに前記基板を外部と遮断可能に設けられる外側壁部と、
前記外側壁部と前記基板の外周縁との間に設けられる内側壁部と、を有し、
前記内側壁部は、前記接着部の対向する前記壁面の一方を形成し、
二つのケース部材が組み合わされた状態において、前記外側壁部と前記内側壁部との間に所定の空間が形成され、
前記壁面を有する壁部の根本付近のうち前記外側壁部側の領域に、二つのケース部材を離間させようとする外力を加えると所定の変形を行う脆弱部を設けた
ことを特徴とする遊技機。
【発明の詳細な説明】
【技術分野】
【０００１】
本発明は、二つのケース部材が組み合わされた状態で所定の基板を収容可能な基板ケースを備える遊技機に関する。
【背景技術】
【０００２】
遊技機に対する不正行為の多くは、遊技機の出玉率等を制御可能な所定の基板に対して行われる。そのため、このような基板は外部からアクセスできないように基板ケース内に収容されている。
このような基板ケースは、通常、二つのケース部材が組み合わされた状態で基板を収容可能に形成され、二つのケース部材同士を離間不能に固定することにより、容易に開放できないようになっている。
このように構成された基板ケースのセキュリティ性をさらに高めるために、二つのケース部材それぞれの外縁に設けられたフランジ部同士を接着する技術が、特許文献１において提案されている。
【先行技術文献】
【特許文献】
【０００３】
【特許文献１】特開２００６−０８７８０６号公報
【発明の概要】
【発明が解決しようとする課題】
【０００４】
ところが、従来の基板ケースには、さらに改善の余地があった。
【課題を解決するための手段】
【０００５】
上記課題を解決するため、本発明の遊技機は、二つのケース部材が組み合わされた状態で所定の基板を収容可能な基板ケースを備える遊技機であって、前記基板ケースは、二つのケース部材が組み合わされた状態において凹凸嵌合する凹凸部と、前記凹凸部に形成される壁面であって二つのケース部材を離間させる方向に沿って延設されるとともに組み合わされた状態においてそれぞれ対向する二組の壁面を少なくとも有し、前記対向する壁面の間に介在する所定の接着剤により前記対向する壁面同士が接着される接着部と、前記基板の外周縁を囲むとともに前記基板を外部と遮断可能に設けられる外側壁部と、前記外側壁部と前記基板の外周縁との間に設けられる内側壁部と、を有し、前記内側壁部は、前記凹凸部のうちの凸部を形成し、二つのケース部材が組み合わされた状態において、前記外側壁部と前記内側壁部との間に所定の空間が形成され、前記基板が所定データの記録された記憶手段を有し、前記基板ケースに前記接着部を有しない領域として非接着領域を設ける場合において、前記記憶手段は、前記基板上において、前記非接着領域の付近に配置されることなく、前記接着部を有する領域に配置される構成としてある。
【図面の簡単な説明】
【０００６】
【図１】遊技機の外観を示す概略正面図である。
【図２】遊技機の内部構成を示す概略斜視図である。
【図３】遊技機の制御構成を示すブロック図である。
【図４】第一実施形態に係る基板ケース全体を示す斜視図である。
【図５】第一実施形態に係る基板ケースの分解斜視図である。
【図６】第一実施形態に係る基板ケースにおける接着部の構成を示す断面図であり、（ａ）は接着前の図であり、（ｂ）は接着後の図である。
【図７】第二実施形態に係る基板ケース全体を示す斜視図である。
【図８】第二実施形態に係る基板ケースの側面図である。
【図９】第二実施形態に係る基板ケースの分解斜視図である。
【図１０】第二実施形態に係る基板ケースにおける接着部の構成を示す断面図であり、（ａ）は接着前の図であり、（ｂ）は接着後の図である。
【図１１】ケース部材と一体形成されたコネクタカバーの構成を示す断面斜視図である。
【図１２】第一ケース部材を裏側から見た斜視図である。
【図１３】第一ケース部材を裏側から見た図であり、（ａ）は正面図、（ｂ）はＡ−Ａ断面図、Ｂ−Ｂ断面図である。
【図１４】第三実施形態に係る基板ケース全体を示す斜視図である。
【図１５】ケース部材と別体形成された他のコネクタカバー装着前の斜視図である。
【図１６】他のコネクタカバーの構成を示す断面であり、（ａ）は装着前の図であり、（ｂ）は装着後の図である。
【発明を実施するための形態】
【０００７】
本発明に係る遊技機の好ましい実施形態について、図１〜図１６を参照して説明する。
【０００８】
［遊技機］
所定の基板の設けられる遊技機には、スロットマシン、パチンコ機、パロット、アレンジボール、雀球機など様々な種類があるが、本実施形態では、本発明をスロットマシンに適用した場合について説明する。
【０００９】
本実施形態のスロットマシン１は、複数のリールを回転させることによって遊技媒体であるメダルを獲得できる回胴式遊技機として構成されており、メイン基板、サブ基板などの所定の基板を備え、これらの基板はそれぞれ基板ケース内に収容された状態でスロットマシン内部に配設されている。
以下、本実施形態に係るスロットマシン１について詳述する。
【００１０】
スロットマシン１は、前面に開口部を有する筐体１ｂと、開口部を開閉可能に覆う前扉１ａとを有する通常のスロットマシンと同様の構成を備えるとともに、以下のようなスロットマシン遊技を実行可能に構成されている。
例えば、メダル投入口２から投入されるメダルの数（例えば、３枚）又は内部的に記憶したクレジットメダルからベットボタン２ａの操作によって信号形式で投入されるメダルの数（例えば、３枚）に応じて遊技開始可能な状態となり、この状態でスタートレバー３が操作されると、各リール４１ａ〜４１ｃが回転を開始する。
回転開始後、各リール４１が定速回転に達すると、各リール４１ａ〜４１ｃに対応する停止ボタン５ａ〜５ｃが押下操作可能となり、それぞれの停止ボタン５が操作されると、その操作タイミングとスタートレバー３の操作タイミングで行なわれる抽選処理の抽選結果とに応じた図柄の組合せで停止するように、各リール４１ａ〜４１ｃが停止制御される。
各リール４１ａ〜４１ｃが停止すると、停止した各リール４１に表された図柄の組合せに基づいて入賞の有無が判定される。メダル払出に係る入賞図柄の組合せで停止したと判定されると、メダル払出装置７が駆動制御され、メダルの貯留されたホッパー７ａからメダル払出口７ｂを介してメダルが払い出されるようになっている。
【００１１】
このようなスロットマシン遊技は、図３に示すように、メイン制御部９がベットボタン２ａ、メダルセレクタ２ｂ、スタートレバー３、及び停止ボタン５等の入力手段からの入力信号を監視しながら、ドラムユニット４に備えるリール４１ａ〜４１ｃを回転駆動させるモータ（不図示）、メダル払出装置７等の出力手段を制御することで実現される。
メイン制御部９は、メイン基板とこれを収容する基板ケースとで構成され、例えば、筐体１ｂの内部壁面に取り付けられる。
【００１２】
また、スロットマシン１では、スロットマシン遊技の進行に同期した遊技演出が行われる。例えば、ボーナス入賞したときに、スロットマシン１の前面側を構成する前扉１ａに配設されたＬＥＤランプ等を点灯させたり、スピーカ８から所定の効果音を出力させたり、あるいは、表示器Ｌ１（例えば、液晶表示器）から所定の映像を出力させたりするなどの演出が行われる。
このような遊技演出は、サブ制御部１０がメイン制御部９から単方向通信により送信される制御コマンドに基づいてＬＥＤ、スピーカ８、表示器Ｌ１等の演出手段を制御することで実現される（図３参照）。
サブ制御部１０は、サブ基板とこれを収容する基板ケースとで構成され、例えば、筐体１ｂの内部壁面に取り付けられる。
【００１３】
このようなメイン制御部９及びサブ制御部１０の基板ケースは、二つのケース部材が組み合わされた状態でそれぞれの基板を収容可能に形成され、二つのケース部材同士を離間不能に固定することにより、容易に開放できないようになっている。
以下、本発明に係る基板ケースをサブ制御部１０に適用した実施形態について、それぞれ形態の異なるサブ制御部１０Ａ〜１０Ｃ（第一〜第三実施形態）を例に挙げて、図４〜図１６を参照しながら説明する。
【００１４】
各サブ制御部１０（１０Ａ〜１０Ｃ）は、以下のような共通の構成を有している。
サブ制御部１０は、サブ基板１３と、これを収容する第一ケース部材１１及び第二ケース部材１２（以下、第一ケース部材１１及び第二ケース部材１２を基板ケースという）とで構成されている。
【００１５】
サブ基板１３は、図５、図９に示すように、ＣＰＵ（中央演算処理装置）、ＲＯＭ１３３及びＲＡＭなどの記憶手段、Ｉ／ＯインターフェイスなどのＩＣ部品、抵抗、コンデンサ、トランジスタ、雌コネクタ１３２ａなどの様々な電子部品などが実装された実装面１３ａと、主に電子部品間の電気的な接続を行う銅箔パターンが形成されたパターン面１３ｂとを有する両面プリント基板からなる。
サブ基板１３の四隅にはネジ１４ａ〜１４ｄを挿入可能なネジ孔１３１ａ〜１３１ｄが設けられ、ネジ１４ａ〜１４ｄを介してサブ基板１３を第一ケース部材１１に取り付けることができるようになっている。
【００１６】
第一ケース部材１１及び第二ケース部材１２（基板ケース）は、ポリカーボネートなどの透明な合成樹脂の射出成型品であり、これらを組み合わせた状態で中空内部にサブ基板１３を収容可能に形成されている。
第一ケース部材１１は、図５、図９に示すように、実装面１３ａと対向する上面壁部１１ａと、サブ基板１３の外周縁を囲む外側壁部１１ｂと、を備え、所定の深さを有する凹状形態を有している。
上面壁部１１ａには、雌コネクタ１３２ａ等を外部に露出させるための開口部１１１ａ，１１１ｂが設けられている。
また、上面壁部１１ａの裏側には、凹部１１２が形成されている（図６、図１０参照）。
凹部１１２は、上面壁部１１ａ裏面に凹設形成された溝状部であり、外側壁部１１ｂよりも内側にオフセットした位置に平面視略矩形状に形成されている。
【００１７】
第二ケース部材１２は、図５、図９に示すように、パターン面１３ｂと対向する底面壁部１２ａと、サブ基板１３の外周縁を囲む内側壁部１２ｂと、外側壁部１１ｂの当接するフランジ部１２ｃと、を備え、所定の深さを有する凹状形態を有している。
内側壁部１２ｂは、凹部１１２に対応する位置であって、サブ基板１３の外周縁よりも外側かつ外側壁部１１ｂよりも内側に形成されている。
この内側壁部１２ｂの先端部には、凹部１１２と凹凸嵌合する凸部１２１が形成されている（図６、図１０参照）。
【００１８】
［接着部］
このような共通の構成を有する各サブ制御部１０（１０Ａ〜１０Ｃ）は、以下のような接着部を有している。
接着部は、第一ケース部材１１及び第二ケース部材１２を離間させる方向（図４、図７、図１４において上下方向）に沿って延設されるとともにケース部材同士を組み合わされた状態において対向する壁面を有し、対向する壁面の間に介在する所定の接着剤Ｓにより、対向する壁面同士が接着されるように構成されている。
例えば、本実施形態では、凹凸嵌合する凹部１１２と凸部１２１とに接着部が設けられている。
【００１９】
図６、図１０に示すように、凹部１１２に形成された面１１２ｂ及び面１１２ｃと、凸部１２１に形成された面１２１ｂ及び面１２１ｃとは、第一ケース部材１１及び第二ケース部材１２を離間させる方向に沿って延設され、第一ケース部材１１及び第二ケース部材１２を組み合わせた状態では、面１１２ｂ及び面１２１ｂ、面１１２ｃ及び面１２１ｃが対向するようになっている。
これにより、例えば、凹部１１２に接着剤Ｓを充填させた状態で、凹部１１２に凸部１２１を嵌合させると、対向する面の間に介在する接着剤Ｓにより、対向する壁面同士、すなわち、面１１２ｂと面１２１ｂ、及び、面１１２ｃと面１２１ｃの二組の面同士が接着されることになる。
【００２０】
このような構成からなる接着部を備えることにより、以下のような作用効果を発揮する。
凹部１１２に接着剤Ｓを充填させた状態で、凹部１１２に凸部１２１を嵌合させると、上記二組の面同士に加えて、凹部１１２の底面１１２ａと、凸部１２１の頂面１２１ａも対向する面同士となり、これらの面同士も接着される。仮に接着部がこの底面１１２ａと頂面１２１ａのみとすると、これらの面は第一ケース部材１１及び第二ケース部材１２を離間させる方向に直交する面として形成されていることから、第一ケース部材１１及び第二ケース部材１２を離間させる外力を加えたときには、これらの離間を妨げる力は、接着剤Ｓ自体の接着力のみに依存することになる。
一方、本実施形態のように、離間させる方向に沿って延設された面同士を接着したときには、接着剤Ｓ自体の接着力に加え、面方向に沿ったせん断摩擦力が加わることになる。せん断摩擦力は、ケース部材同士の離間を妨げるように強力に作用することから、基板ケースを容易に開放することができなくなる。特に、本実施形態のように、対向する面を二組とすることで、第一ケース部材１１と第二ケース部材１２は強固に離間不能となる。
【００２１】
また、本実施形態の接着部は、サブ基板１３の外周縁よりも外側であって、サブ基板１３を外部と遮断可能に設けられる外側壁部１１ｂよりも内側に形成されている。
具体的には、図６、図１０に示すように、先端に凸部１２１を有する内側壁部１２ｂは、サブ基板１３の外周縁よりも外側であって、外側壁部１１ｂよりも内側に形成されている。
これにより、接着部（凹部１１２及び凸部１２１）にアクセスして接着剤Ｓを剥離させようとしても外側壁部１１ｂが最初の障害となることから、基板ケースの開放をより困難にさせることができる。
さらに、外側壁部１１ｂと内側壁部１２ｂとは互いに交差する（行き違う）ように、すなわち、外側壁部１１ｂは下方に向かって延設され、内側壁部１２ｂは上方に向かって延設されている。これにより、基板ケース外部からの侵入経路が屈折した迷路状の経路となることから、不正アクセスを阻止することができる。
また、接着部（凹部１１２及び凸部１２１）は、図５、図９に示すように、サブ基板１３の外周縁ほぼ全体を囲むように配置されている。これにより、基板ケース四方からの侵入を阻止することができる。
また、内側壁部１２ｂの内側に、さらにリブ１１４ｃ、リブ１２２ａを設けることもでき、これにより、外側壁部１１ｂと内側壁部１２ｂに加えて、サブ基板１３を三重に囲むことができる（図６参照）。
【００２２】
また、図６、図１０に示すように、接着状態にある内側壁部１２ｂの根本付近（凹部１１２側）に、脆弱部１１３が形成されている。
本実施形態では、脆弱部１１３は、凹部１１２の近傍であって外側壁部１１ｂ側に形成され、他の部分より樹脂の厚みが薄肉形成された部分となっており、第一ケース部材１１及び第二ケース部材１２を離間させようとする外力を加えると所定の変形を行うようになっている。
例えば、第一ケース部材１１及び第二ケース部材１２を離間させようとする外力として、第一ケース部材１１と第二ケース部材１２の隙間にマイナスドライバー等を差し込んで、基板ケースを無理やりこじ開けようとする力を加えると、この力は、接着状態にある凹部１１２の近傍であって外側壁部１１ｂ側に位置する脆弱部１１３に応力として伝わりやすく、脆弱部１１３の変形を誘うようになっている。
例えば、図６、図１０において、差し込んだドライバを下方に旋回させる力を加えると、外側壁部１１ｂが外側に持ち上がり、そのときの応力は、脆弱部１１３に集中する。その結果、脆弱部１１３が破断、白化などの塑性変形をすることになり、不正アクセスをしようとした痕跡が残ることになる。
また、第一ケース部材１１及び第二ケース部材１２を離間させようとする外力を脆弱部１１３に集中させるためには、脆弱部１１３を有しない内側壁部１２ｂの反対側の根本付近を強固に補強しておくことが好ましい。そのため、図６に示すように、内側壁部１２ｂの根本には、補強部１２１ｄ，１２１ｅを形成し、離間させようとする外力を凹部１１２側に集中させるようになっている。
なお、脆弱部１１３は、内側壁部１２ｂの根本付近（補強部側）であって、外側壁部１１ｂ側に設けることもできる。この場合、補強部１２１ｄ，１２１ｅを有しない方が好ましい。
【００２３】
また、このような接着部（凹部１１２及び凸部１２１）は、不正改造等の対象となりやすいロム１３３などの記憶手段の近傍には積極的に配置することが好ましい。
基板ケース設計上の都合等により、接着部を有しない領域として非接着領域を設けざるを得ない場合でも、ロム１３３などの記憶手段は、非接着領域に付近に配置されることなく、接着部を有する領域に配置させる。これにより、少なくとも外部からの不正アクセスから記憶手段を護ることができる。
また、図６、図１０に示すように、リブ１１４ａ、１１４ｂでロム１３３などの記憶手段を囲んで、さらにアクセスを困難にすることもできる。
【００２４】
また、基板ケースは、接着部（凹部１１２及び凸部１２１）が外部に臨むようにスロットマシン１に取り付けてあることが好ましい。
例えば、第二ケース部材１２の底面部１２ａが筐体１ｂの内部壁面側に面するように取り付けることで、接着部側、すなわち、凹部１１２側が、外部に臨むようになる。
これにより、無理やり第一ケース部材１１及び第二ケース部材１２を離間させ、接着部を破壊させたときには、前扉１ａを開放すると、上面壁部１１ａ側、すなわち凹部１１２側が視認可能となることから、その痕跡を容易に発見することができる。
【００２５】
また、接着部（凹部１１２及び凸部１２１）、すなわち、ケース部材同士が組み合わされた状態において対向する壁面は、鏡面状に形成されるのではなく、所定の表面粗さ（例えば、梨地加工、放電加工等）を有している方が好ましい。これにより、対向する面同士の接着力が鏡面状に形成されるよりも向上する。また、この表面粗さは、凹部１１２側には設けずに、凸部１２１側の面１２１ｂ，１２１ｃ（のうち少なくともいずれか一方の面、特に１２１ｃ）に設けることが好ましい。凹部１１２は凸部１２１を囲む（挟む）ことから、これにより、凹部１１２と凸部１２１との境界が明確となり、無理やり第一ケース部材１１及び第二ケース部材１２を離間させようとした痕跡を発見しやすくなる。
また、接着部（凹部１１２及び凸部１２１）には、第一ケース部材１１及び第二ケース部材１２を離間させる方向に沿って凹設される溝を形成することが好ましい。このような溝を形成することにより、この溝に沿って接着剤Ｓが流れることから、対向する面同士の間に接着剤Ｓが確実に充填されることになる。
【００２６】
また、接着剤Ｓの材質等は特に限定されるものではないが、例えば、紫外線等により硬化する光硬化型接着剤を採用することが好ましい。
このような光硬化型接着剤を用いることにより、所望する波長の光を照射しない限り接着剤が硬化することがないので、接着部（凹部１１２及び凸部１２１）において接着剤Ｓが十分に充填されているかどうかを確認しながら（充填されていないときには再充填を行うなど）、確実に接着できる。
また、このような光硬化型接着剤を用いる場合には、接着部（凹部１１２及び凸部１２１）付近は所望する波長光が透光可能な樹脂を採用することは勿論であるが、本実施形態のように、接着部（凹部１１２及び凸部１２１）が基板ケース外に向けて突設されていることが好ましい。すなわち、本実施形態の凹部１１２は、上面壁部１１ａの一部をケース外方向に盛り上げるとともにその内側に溝状に形成されており、凸部１２１はそのような凹部１１２に嵌合するように構成されている（図６、図１０参照）。これにより、接着部（凹部１１２及び凸部１２１）に向けて光を効率的に照射することができる。
【００２７】
［カシメ構造］
サブ制御部１０Ｂは、接着部に加えてカシメ構造を備えている。
カシメ構造は、閉状態の基板ケースを開放するとその痕跡が残るように第一ケース部材１１と第二ケース部材１２を固定する構造を有している。
本実施形態では、例えば、図９、図１０に示すように、一方の第一ケース部材１１はその上面壁部１１ａの裏側に、爪部１５１を有するカシメ部材１５をネジ等により取り付け可能に形成されており、他方の第二ケース部材１２は爪部１５１に係合可能な係合孔１２３を備えている。このような構成により、第一ケース部材１１と第二ケース部材１２を閉じ合わせると、図１０（ｂ）に示すように、爪部１５１が係合孔１２３に引っ掛かる係合状態となり、第一ケース部材１１と第二ケース部材１２は開放不能に固定される。この係合状態は、第一ケース部材１１又は第二ケース部材１２の所定箇所等を破壊しない限り解除することができないことから、基板ケースを開放すると破壊痕が残ることになる。
このようなカシメ構造は、図１０に示すように、不正改造等の対象となりやすいロム１３３などの記憶手段の近傍に配置することが好ましい。本実施形態では、カシメ構造のさらに外側に接着部を設けてある。これにより、ロム１３３などの記憶手段を二重に保護することができる。
【００２８】
［コネクタカバー］
サブ制御部１０Ｂ、１０Ｃは、それぞれ形態の異なるコネクタカバー１１ｄを備えている。
それぞれのコネクタカバー１１ｄは、雌コネクタ１３２ａに雄コネクタ１３２ｂが接続された状態で雄コネクタ１３２ｂを雌コネクタ１３２ａから脱抜不能に覆うように構成されている。
【００２９】
サブ制御部１０Ｂに備えるコネクタカバー１１ｄは、第一ケース部材１１に一体形成されている。具体的には、コネクタカバー１１ｄは、第一ケース部材１１の射出成型時に、上面壁部１１ａに一体的に成形されるようになっている。
コネクタカバーを第一ケース部材１１と別体に形成すると、雄コネクタ１３２ｂを雌コネクタ１３２ａから脱抜しようとしたとき、第一ケース部材１１が破壊されることなくコネクタカバーのみが破壊されることがあり、このようなときに、破壊されたコネクタカバーを他の新しいコネクタカバーに取り替えられてしまうと、破壊の痕跡を残さずに不正改造されるおそれがある。
そこで、コネクタカバー１１ｄを第一ケース部材１１に一体形成することとし、雄コネクタ１３２ｂを雌コネクタ１３２ａから脱抜しようとして、コネクタカバー１１ｄを破壊したときに、その痕跡が第一ケース部材１１に残るようにした。これにより、改造痕跡の有無を外観から判断することができる。
【００３０】
サブ制御部１０Ｂに備えるコネクタカバー１１ｄは、雌コネクタ１３２ａに雄コネクタ１３２ｂが接続された状態で双方のコネクタ１３２ａ，１３２ｂとともにケーブル１３２ｃ及びケーブルを束ねる結束バンド１３２ｄごと覆うように構成されている。
このような構成を備えるために、コネクタカバー１１ｄは、図９及び１１に示すように、コネクタ１３２ａ，１３２ｂの上面を覆う上面覆い部１１５ａと、コネクタ１３２ａ，１３２ｂの四方を覆う側面覆い部１１５ｂ〜１１５ｅと、ケーブル１３２ｃを基板ケース外に導出させるための開口部１１１ａと、を備え、雌コネクタ１３２ａに接続された状態の雄コネクタ１３２ｂがこれらの覆い部１１５ａ〜１１５ｅにより包囲される。また、コネクタカバー１１ｄは、開口部１１１ａに至るまでのケーブル１３２ｃを覆うケーブルカバー１１ｅを備えている。
【００３１】
上面覆い部１１５ａは、ドーム状に形成されるとともに、図１３に示すように、断面略円弧形状を有している。ドーム状内部空間は、ケーブル１３２ｃを緩く湾曲させた状態で収容可能な空間を有している。これにより、ケーブル１３２ｃを無理やり屈曲させる必要がないことからケーブル１３２ｃに応力が加わらないため断線等の不具合を防止できる。
また、上面覆い部１１５ａがドーム状に形成されることにより、例えば、図７、図８に示すように、コネクタカバー１１ｄ近傍に、回動可能に軸支された蓋部材１１ｃを設けたときにも、上面覆い部１１５ａが蓋部材１１ｃの回動を阻害することなく、蓋部材１１ｃを９０度以上開放することができる。
【００３２】
側面覆い部１１５ｃは、コネクタ１３２ａ，１３２ｂの長手方向側面を覆うとともに基板ケースの内外を隔てる外側壁部１１ｂの一部として構成されている。
また、側面覆い部１１５ｅは、コネクタ１３２ａ，１３２ｂの短手方向側面（図１１中の右側面）を覆うとともに、その一部にケーブル１３２ｃをケーブルカバー１１ｅへ導くための導出孔１１５ｆを備えている。
導出孔１１５ｆは、ケーブル１３２ｃ通過可能かつ結束バンド１３２ｄ通過不能な大きさの開口面積を有している。これにより、雄コネクタ１３２ｂを雌コネクタ１３２ａから脱抜しようとしてケーブル１３２ｃを引っ張っても、結束バンド１３２ｄが導出孔１１５ｆの周縁に当接することから、引っ張り力が雄コネクタ１３２ｂまで伝わらず、雄コネクタ１３２ｂの脱抜を防止するようになっている。
また、コネクタ１３２ａ，１３２ｂから導出孔１１５ｆを経て開口部１１１ａへ至るまでの通路がケーブル１３２ｃのケーブル導出路となるが、この通路は、図１２、図１３に示すように、直線通路とはならずに、クランク状に屈曲形成されている。
これにより、開口部１１１ａからピアノ線などの長物を使ってコネクタ１３２ａ，１３２ｂへのアクセスを試みようとしたときに、クランク状の通路によってアクセスが阻まれ侵入を困難にすることができる。
【００３３】
一方のサブ制御部１０Ｃに備えるコネクタカバー１１ｄは、図１５に示すように、第一ケース部材１１とは別体に形成されるものの、脱抜不能に装着されるようになっている（図１４参照）。
コネクタカバー１１ｄは、図１６に示すように、コネクタ１３２ａ，１３２ｂの上面を覆う上面覆い部１１６ａと、垂下リブ１１６ｂとを備えている。
垂下リブ１１６ｂには、凹状の返し部１１６ｃ、爪部１１６ｄが形成されている。
第一ケース部材１１の上面壁部１１ａには、雌コネクタ１３２ａ、雄コネクタ１３２ｂ及びケーブル１３２ｃを外部に露出させる開口部１１１ａが形成されている（図１５参照）。
開口部１１１ａは、コネクタカバー１１ｄを装着可能な取付凹部であり、図１６に示すように、上面壁部１１ａとほぼ面一となる天面１１７ａ、上面覆い部１１６ａの裏面が当接する当接部１１７ｂ、爪部１１６ｄと係合する係合孔１１７ｃが形成されている。
このような構成により、コネクタカバー１１ｄを垂下リブ１１６ｂ側から開口部１１１ａに挿入して、爪部１１６ｄが係合孔１１７ｃと係合すると、爪部１１６ｄは外部から操作不能となり、コネクタカバー１１ｄが開口部１１１ａに脱抜不能に装着される。これにより、雌コネクタ１３２ａに雄コネクタ１３２ｂが接続された状態で雄コネクタ１３２ｂが雌コネクタ１３２ａから脱抜不能に覆われることになる。
【００３４】
また、爪部１１６ｄの外部からの操作をさらに困難にするために以下のような構成を備えている。
まず、図１６に示すように、コネクタカバー１１ｄ装着時において、上面覆い部１１６ａの上面よりも天面１１７ａの方が高く形成されている。これにより、上面覆い部１１６ａを開口部１１１ａから摘み上げることが困難になる。
また、垂下リブ１１６ｂに凹状の返し部１１６ｃが形成されていることから、上面覆い部１１６ａと開口部１１１ａとの隙間からのピアノ線などの長物を侵入させても返し部１１６ｃに当接してしまい侵入が阻止されることになる。
【００３５】
以上説明したように、本実施形態のスロットマシン１によれば、接着部、コネクタカバーを備えることにより、基板ケースのセキュリティ性を向上させることができる。
【００３６】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００３７】
例えば、接着部を本実施形態では、対向する壁面として二組設けたが一組でもよい。
また、二つのケース部材を離間させる方向とは、閉状態の基板ケースを開状態にするときに二つのケース部材に作用させる力の方向であり、閉状態が開状態となれば足りるので、その方向はある程度の角度範囲を有している。
また、メダル、遊技球等の現物の遊技媒体を用いることなく、データ形式の擬似遊技媒体を用いてゲームを実行可能な、いわゆる封入式遊技機であっても、所定の基板を収容可能な基板ケースを備える限り、本発明の遊技機に該当する。
【符号の説明】
【００３８】
１  スロットマシン
１０  （１０Ａ〜１０Ｃ）サブ制御部
１１  第一ケース部材
１１ｄ  コネクタカバー
１１２  凹部（接着部）
１２  第二ケース部材
１２１  凸部（接着部）
【図１】
0006476401.tif 000002
【図２】
0006476401.tif 000003
【図３】
0006476401.tif 000004
【図４】
0006476401.tif 000005
【図５】
0006476401.tif 000006
【図６】
0006476401.tif 000007
【図７】
0006476401.tif 000008
【図８】
0006476401.tif 000009
【図９】
0006476401.tif 000010
【図１０】
0006476401.tif 000011
【図１１】
0006476401.tif 000012
【図１２】
0006476401.tif 000013
【図１３】
0006476401.tif 000014
【図１４】
0006476401.tif 000015
【図１５】
0006476401.tif 000016
【図１６】
0006476401.tif 000017